【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
シート材に画像を形成する画像形成手段と、
少なくとも装置本体の一側面を開口し、該開口よりも装置内側の空間に設けられ、装置内から排出されたシート材が積載されるシート材積載部材を有する排出シート収容部と、
前記排出シート収容部の開口を開閉可能に覆うカバー部材と、
前記カバー部材を開閉させる開閉手段とを備えた画像形成装置において、
ユーザーからの所定操作を受け付ける操作受付手段を有しており、
前記操作受付手段が前記所定操作を受け付けたら、前記カバー部材が閉じた第一の状態から前記カバー部材が開いた第二の状態となるように、または、前記第二の状態から前記第一の状態となるように、前記カバー部材を開閉させるよう前記開閉手段を制御する制御手段を有することを特徴とする画像形成装置。
【請求項２】
請求項１に記載の画像形成装置において、
前記排出シート収容部内で前記シート材積載部材にシート材が排出される第一位置と、前記第一位置よりも前記開口に近い第二位置との間で移動可能なように、装置本体に対して前記シート材積載部材を設けており、
前記第一位置と前記第二位置との間で、前記シート材積載部材を移動させるシート材積載部材移動手段を有しており、
前記第一の状態では前記シート材積載部材が前記第一位置に位置し、前記第二の状態では前記シート材積載部材が第二位置に位置するように、前記第一位置と前記第二位置との間で前記シート材積載部材を移動させるよう、前記操作受付手段が前記所定操作を受け付けたら、前記制御手段が前記シート材積載部材移動手段を制御することを特徴とする画像形成装置。
【請求項３】
請求項２に記載の画像形成装置において、
前記画像形成手段による画像形成動作中は、前記操作受付手段が前記所定操作を受け付けることにより前記画像形成手段による画像形成動作を中断して、前記開閉手段によって自動で前記カバー部材を開き、前記シート材積載部材移動手段によって自動で前記シート材積載部材を前記第一位置から前記第二位置に移動させるように、前記シート材積載部材移動手段及び前記開閉手段を前記制御手段が制御することを特徴とする画像形成装置。
【請求項４】
請求項２に記載の画像形成装置において、
前記画像形成手段による画像形成動作中は、前記操作受付手段が前記所定操作を受け付けても前記開閉手段による前記カバー部材の開閉動作と、前記シート材積載部材移動手段による前記第一位置から前記第二位置への前記シート材積載部材の移動動作を開始しないことを特徴とする画像形成装置。
【請求項５】
請求項１または２のいずれかに記載の画像形成装置において、
前記排出シート収容部の空気を装置外に排出する排気手段を有しており、
前記排気手段による前記排出シート収容部の排気動作中は、前記操作受付手段が前記所定操作を受け付けても前記開閉手段による前記カバー部材の開閉動作を開始しないことを特徴とする画像形成装置。
【請求項６】
請求項１または２のいずれかに記載の画像形成装置において、
前記シート材積載部材上のシート材の有無を検出するシート材有無検出手段を有しており、
前記カバー部材が開いた状態で、前記シート材有無検出手段によりシート材が無いと検出されたら、前記開閉手段によって自動で前記カバー部材を閉じるように、前記制御手段が該開閉手段を制御することを特徴とする画像形成装置。
【請求項７】
請求項２に記載の画像形成装置において、
前記シート材積載部材上のシート材の有無を検出するシート材有無検出手段を有しており、
前記カバー部材が開いており、且つ、前記シート材積載部材が前記第二位置に位置する状態で、前記シート材有無検出手段によりシート材が無いと検出されるまでは、前記画像形成手段による画像形成動作を保留することを特徴とする画像形成装置。
【請求項８】
請求項１または２のいずれかに記載の画像形成装置において、
前記カバー部材が開いてからの経過時間を計測する経過時間計測手段を有しており、
前記カバー部材が開いた状態で、前記経過時間計測手段によって計測された経過時間が、予め設定された一定時間を経過したら、前記開閉手段によって自動で前記カバー部材を閉じるように、前記制御手段が該開閉手段を制御することを特徴とする画像形成装置。
【請求項９】
請求項８に記載の画像形成装置において、
前記カバー部材が開いた状態で画像形成指示を受け付けたときに、前記経過時間計測手段によって計測された経過時間が、予め設定された待ち時間以内であれば、前記開閉手段によって自動で前記カバー部材を閉じることがないように、前記制御手段が該開閉手段を制御することを特徴とする画像形成装置。
【請求項１０】
請求項９に記載の画像形成装置において、
ユーザーが前記待ち時間を変更することが可能なように構成されたことを特徴とする画像形成装置。
【請求項１１】
請求項２に記載の画像形成装置において、
前記シート材積載部材が前記第二位置に位置してからの経過時間を計測する経過時間計測手段を有しており、
前記カバー部材が開いており、且つ、前記シート材積載部材が前記第二位置に位置する状態で、前記経過時間計測手段によって計測された経過時間が、予め設定された一定時間を経過したら、前記シート材積載部材移動手段によって自動で前記シート材積載部材を前記第二位置から前記第一位置に移動させ、前記開閉手段によって自動で前記カバー部材を閉じるように、前記シート材積載部材移動手段及び前記開閉手段を前記制御手段が制御することを特徴とする画像形成装置。
【請求項１２】
請求項１乃至１１のいずれか一の画像形成装置において、
前記操作受付手段は、ユーザーにより押下可能なスイッチ部材であることを特徴とする画像形成装置。
【請求項１３】
請求項１乃至１２のいずれか一の画像形成装置において、
前記シート材積載部材を、前記シート材積載部材が前記排出シート収容部内に収まった位置から前記シート材積載部材の一部が前記排出シート収容部の外部へと引き出された位置、または、前記引き出された位置から前記収まった位置へと移動させる出し入れ手段を備え、前記第二の状態のうち、前記シート材積載部材が前記引き出された位置にある状態を第三の状態、前記シート材積載部材が前記収まった位置にある状態を第四の状態とし、前記排出シート収容部に用紙が排出されるときに、排出された用紙のサイズが予め既定された切替サイズ以上か否かによって、前記制御手段が、前記第三の状態とするか前記第四の状態とするか、を判断するようにしたことを特徴とする画像形成装置。
【請求項１４】
請求項１３に記載の画像形成装置において、
ユーザーが前記切替サイズを変更することが可能なように構成されたことを特徴とする画像形成装置。
【請求項１５】
請求項１乃至１２のいずれか一の画像形成装置において、
前記シート材積載部材を、前記シート材積載部材が前記排出シート収容部内に収まった位置から前記シート材積載部材の一部が前記排出シート収容部の外部へと引き出された位置、または、前記引き出された位置から前記収まった位置へと移動させる出し入れ手段を備え、前記第二の状態のうち、前記シート材積載部材が前記引き出された位置にある状態を第三の状態、前記シート材積載部材が前記収まった位置にある状態を第四の状態とし、前記操作受付手段が前記所定操作を受け付けたら、前記制御手段が、前記第一の状態から前記第三の状態もしくは前記第四の状態となるように、または、前記第三の状態もしくは前記第四の状態から前記第一の状態となるように、前記開閉手段及び前記出し入れ手段を制御することを特徴とする画像形成装置。
【請求項１６】
請求項１５に記載の画像形成装置において、
前記操作受付手段は、ユーザーにより押下可能なスイッチ部材であり、前記第一の状態から前記スイッチ部材が押されたときに、前記制御手段が、前記スイッチ部材の押下を持続している時間が予め既定された押下時間以上か否かによって、前記第三の状態とするか前記第四の状態とするか、を判断するようにしたことを特徴とする画像形成装置。
【請求項１７】
請求項１６に記載の画像形成装置において、
ユーザーが前記押下時間を変更することが可能なように構成されたことを特徴とする画像形成装置。
【請求項１８】
請求項１５乃至１７のいずれか一の画像形成装置において、
画像形成動作中に、前記操作受付手段が前記所定操作を受け付けたら、前記制御手段が、前記第一の状態から前記第三の状態となるように前記開閉手段を制御することを特徴とする画像形成装置。